(57)【要約】【課題】開口部に直接口を付けることなく付属のコップで飲むことができると共に随時キャップを閉めることができ、当該コップをペットボトルに被せて係止する際にも衛生上問題のない、コップ付きペットボトルを得る。【解決手段】外周面に１つ以上の帯溝を形成すると共に内周面開口端部に凸状の保持爪を形成したコップを、外周面上部に凹状の溝部を有したペットボトルの上部より逆さにして被せ、前記コップの内周面開口端部にある凸状の保持爪を前記ペットボトルの外周面上部にある凹状の溝部に係止して着脱容易に装着し、前記コップとペットボトルの本体部とを熱収縮性ラベルにて一体的に収縮保持する。前記熱収縮性ラベルにあっては、コップの外周面開口端部の上下横方向全周にミシン目を入れ、更に縦方向全幅にミシン目を入れる。【選択図】図１
0003174135.tif 000002
【実用新案登録請求の範囲】
【請求項１】
外周面に１つ以上の帯溝を形成すると共に内周面開口端部に凸状の保持爪を形成したコップを、外周面上部に凹状の溝部を有したペットボトルの上部より逆さにして被せ、前記コップの内周面開口端部にある凸状の保持爪を前記ペットボトルの外周面上部にある凹状の溝部に係止して着脱容易に装着し、前記コップとペットボトルの本体部とを熱収縮性ラベルにて一体的に収縮保持することを特徴とした、コップ付きペットボトル。
【請求項２】
上記熱収縮性ラベルにあっては、開封時においてペットボトルよりコップを容易に分離すべく、コップの外周面開口端部の上下横方向全周にミシン目を入れ、使用後において前記ペットボトルやコップから当該熱収縮性ラベルの分別破棄を容易にすべく、縦方向全幅にミシン目を入れることを特徴とした、請求項１に記載のコップ付きペットボトル。
【考案の詳細な説明】
【技術分野】
【０００１】  本考案は、ペットボトル内の飲料を飲む際において、当該ペットボトルの開口部に直接口を付けて飲むことなく付属のコップで飲むことができる、コップ付きペットボトルに関するものである。
【背景技術】
【０００２】  会議や懇談会等の場において、のどの渇きを潤すためにお茶が出されている。従来は、急須に入れたお茶を茶碗に注いで出していたが、近年はペットボトル入りのお茶が普及したことと手軽さが受け、該ペットボトル入りのお茶が銘々に配られている。【０００３】  上記ペットボトル入りのお茶を飲む場合、キャップを外してペットボトルの開口部に直接口を付けて飲むのが一般的であるが、該飲み方はいわゆるラッパ飲みと言われるものであり、前記会議や懇談会等の場においてはマナー上好ましい飲み方ではなかった。男性は該飲み方でも抵抗はないものの、女性はこのような飲み方はあまりしないため、そのまま持ち帰ることが多かった。従って、前記会議や懇談会等の場において、のどの渇きを潤すという目的を達成することができない状態であった。【０００４】  上記問題点を解決すべく、例えば特開２００４−４３００８号公報の発明の名称「コップ付ペットボトル」では、コップの底部中央にキャップ部を設けてペットボトルのキャップとコップを兼用したコップ付ペットボトルについて記載され、特開２００５−１４９１１号公報の発明の名称「コップ付き飲料液用プラスチックボトルとコップ」では、ペットボトルの外周面上部にある凹部とコップの内周面端部にある凸部とを係止して着脱容易に装着できるペットボトル用コップについて記載され、更に特開２０１１−５１６２１号公報の発明の名称「コップ一体型ペットボトル」では、ペットボトルの外周面下部にコップを１個乃至複数個重ねて設けたコップ一体型ペットボトルについて記載されている。【０００５】
【特許文献１】特開２００４−４３００８
【特許文献２】特開２００５−１４９１１
【特許文献３】特開２０１１−５１６２１
【考案の開示】
【考案が解決しようとする課題】
【０００６】  しかしながら、上記特開２００４−４３００８号公報記載のものは、コップ内にキャップがあるため、コップを使用している際にはペットボトルに蓋即ちキャップを閉めることができないという不便さと、キャップのネジ部等に飲み残しがあると当該キャップを閉める際に飲み残しが漏れ出て不衛生であるという問題点があった。また、上記特開２００５−１４９１１号公報記載のものは、購入したペットボトル入り飲料をコップで飲めるようにすべく、該ペットボトルにコップを被せて係止しただけのものであり、別途コップが用意できれば前記コップの必要性はないものである。また、上記特開２０１１−５１６２１号公報に記載のものは、１回の使用でペットボトル内の飲料をすべて飲み干してしまう場合には問題ないものの、数回に分けて使用する場合にはコップ内にペットボトルの外周面下部を収納するため、該ペットボトルの底部とコップの内面が接触して不衛生であるという問題点があった。【０００７】  本考案は、上記問題点を解決するために成されたものであり、キャップと分離したコップを予めペットボトルの本体上部に付属させることにより、当該ペットボトル内の飲料を飲む際において、開口部に直接口を付けることなく付属のコップで飲むことができると共に随時キャップを閉めることができ、飲み終わった後において、当該コップをペットボトルに被せて係止する際にも衛生上問題のない、コップ付きペットボトルを提供することを目的とする。
【課題を解決するための手段】
【０００８】  上記課題を解決するため、本考案のコップ付きペットボトルにあっては、外周面に１つ以上の帯溝を形成すると共に内周面開口端部に凸状の保持爪を形成したコップを、外周面上部に凹状の溝部を有したペットボトルの上部より逆さにして被せ、前記コップの内周面開口端部にある凸状の保持爪を前記ペットボトルの外周面上部にある凹状の溝部に係止して着脱容易に装着し、前記コップとペットボトルの本体部とを熱収縮性ラベル（シュリンクラベル）にて一体的に収縮保持する。【０００９】  上記熱収縮性ラベルにあっては、開封時においてペットボトルよりコップを容易に分離すべく、コップの外周面開口端部の上下横方向全周にミシン目を入れ、使用後において前記ペットボトルやコップから当該熱収縮性ラベルの分別破棄を容易にすべく、縦方向全幅にミシン目を入れる。
【考案の効果】
【００１０】  本考案のコップ付きペットボトルによれば、ペットボトル内の飲料を飲む際において、開口部に直接口を付けることなく付属のコップで飲むことができると共に随時キャップを閉めることができて便利であるという効果を奏する。また、飲み終わった後において、当該コップをペットボトルに被せて係止する際にも衛生上問題なく安心であるという効果を奏する。更にはペットボトルの本体上部に付属したコップがペットボトルの本体部と熱収縮性ラベルにて一体的に収縮保持されているため、輸送時や保管時において確実に保持できると共に衛生的であるという効果も奏する。
【考案を実施するための最良の形態】
【００１１】  本考案を実施するための最良の形態を図を用いて説明する。【００１２】  図１は本考案の本考案のコップ付きペットボトルにおいて、コップをペットボトルの上部に被せた状態の断面図であり、図２は本考案のコップ付きペットボトルにおけるコップの斜視図である。該図に示すように、本考案のコップ付きペットボトルにあっては、外周面に１つ以上の帯溝４を形成すると共に内周面開口端部に凸状の保持爪３を形成したコップ２を、外周面上部に凹状の溝部５を有したペットボトル１の上部より逆さにして被せ、前記コップ２の内周面開口端部にある凸状の保持爪３を前記ペットボトル１の外周面上部にある凹状の溝部５に係止して着脱容易に装着して構成する。なお、コップ２の内面底部とキャップ６の上面とを図のように接触させておけば、該コップ２の上部が外力で押された際に、コップ２とペットボトル１の係止状態が外れることがなく好適である。【００１３】  また、図３は本考案のコップ付きペットボトルにおいて、コップをペットボトルの上部に保持した状態を示す図であり、上記コップ２とペットボトル１の本体部とを熱収縮性ラベル８にて一体的に収縮保持している。【００１４】  上記熱収縮性ラベル８にあっては、開封時においてペットボトル１よりコップ２を容易に分離すべく、コップ２の外周面開口端部の上下横方向全周にミシン目９，９入れ、使用後において前記ペットボトル１やコップ２から当該熱収縮性ラベル８の分別破棄を容易にすべく、縦方向全幅にミシン目１０，１０を入れる。【００１５】  上記縦方向のミシン目１０は、図３において２本あるが１本であっても構わない。また、縦方向のミシン目１０と横方向のミシン目９，９の交差する位置の縦方向部にスリット１１を入れておくと、ミシン目９，９を切り取る際に爪で容易に行える。【００１６】  また、上述の帯溝４は、飲料を入れたコップ２を掴む際において、指に馴染んで掴み易くなるという目的と、コップ２とペットボトル１の本体部とを熱収縮性ラベル８にて一体的に収縮保持する際において、収縮保持の保持力を増す目的がある。このため、図１〜図３ではコップ２の外周面の略中央部において帯溝４は１本のみであるが、複数本設けても構わない。また、溝のへこみは内側方向となっているが、外側方向であっても構わない。なお、ペットボトル１の本体部において突部７，７を設けておき、該突部７，７に熱収縮性ラベル８を被せるようにしておけば、保持力が増して保持することができる。なお、前記ペットボトル１の本体部の突部７，７の形状や位置は、図に示すものに限定せず任意で構わない。【００１７】  また、図４は本考案のコップ付きペットボトルにおけるコップの平面図であり、上述のコップ２の内周面開口端部に形成した凸状の保持爪３，３を示している。該保持爪３，３は２個乃至４個が好適であるが、特に限定するものではない。また、該保持爪３，３は、図１においてペットボトル１の外周面上部と突部７にて形成される溝部３に係止されるが、保持爪３の高さを抑えておけば、図２で示すような連続した輪状のものにしても構わない。【００１８】  本考案のコップ付きペットボトルに入れる飲料は、お茶を始めとしてあらゆる飲料に適応することができるものであ��。また、ペットボトル１の形状は円筒形以外に角型であっても構わない。その場合には、コップ２の形状もペットボトル１の形状に合わせた角型となる。
【図面の簡単な説明】
【００１９】
【図１】本考案のコップ付きペットボトルにおいて、コップをペットボトルの上部に被せた状態の断面図である。
【図２】本考案のコップ付きペットボトルにおけるコップの斜視図である。
【図３】本考案のコップ付きペットボトルにおいて、コップをペットボトルの上部に保持した状態を示す図である。
【図４】本考案のコップ付きペットボトルにおけるコップの平面図である。
【符号の説明】
【００２０】  １  ペットボトル
２  コップ
３  保持爪
４  帯溝
５  溝部
６  キャップ
７  突部
８  熱収縮性ラベル
９  ミシン目
１０  ミシン目
１１  スリット
【図１】
0003174135.tif 000003
【図２】
0003174135.tif 000004
【図３】
0003174135.tif 000005
【図４】
0003174135.tif 000006